(57)【特許請求の範囲】
【請求項１】
複数の画素を備え、各画素では少なくとも３色のドットによって表示動作が行われる表示装置において、
電気的に制御できない不良ドットが存在することによる表示不良を補償するため、第一色の該不良ドット近傍の、第一色と異なる色の複数の近傍ドットに印加する各補償信号値を演算により決定して制御する制御手段を備え、
前記制御手段は、上記各補償信号値を該複数の近傍ドットが発色することによって得られる色彩値と、前記不良ドットおよび前記複数の近傍ドットの入力信号に基づく本来の色彩値との色差が最小となるように制御するとき、
前記制御手段は、第二色の近傍ドットの補償信号値を、該不良ドットへの入力信号値および該第二色の近傍ドットへの入力信号値から近似曲線に基づく演算により決定した後、
第三色の他の近傍ドットに印加する補償信号値を、制御後の第二色および第三色の各近傍ドットにおける輝度の和を、第一色の不良ドット、第二色および第三色の各近傍ドットにおける本来の輝度の和と等しくなる演算により決定し、
上記第三色の他の近傍ドットの入力信号値は、本来の表示に比し、輝度差をゼロ、色差を最小とする第二色の近傍ドットの補償信号値がほぼ依存しない色の入力信号値であり、
前記近似曲線は、該第三色の入力信号値を用いない関数であることを特徴とする表示装置。
【請求項２】
前記近似曲線は近似直線であることを特徴とする請求項１記載の表示装置。
【請求項３】
前記色彩値の差は、ＣＩＥ（１９７６）Ｌ＊ａ＊ｂ＊色差値で表される色彩値の差であることを特徴とする請求項１または２記載の表示装置。
【請求項４】
前記制御手段は、前記複数の近傍ドットの輝度の和が、前記不良ドットおよび前記複数の近傍ドットの入力信号値に基づく本来の輝度の和に略等しくなるように、前記複数の近傍ドットに印加する補償信号値を制御することを特徴とする請求項１〜３のいずれか１項に記載の表示装置。
【請求項５】
前記近似直線の傾きは、前記第二色の近傍ドットの入力信号値に基づき決定されることを特徴とする請求項２に記載の表示装置。
【請求項６】
前記近似直線の傾きとして、０および１／２n（但しｎは０以上の整数）のいずれかの値からなる近似値を用いることを特徴とする請求項５記載の表示装置。
【請求項７】
前記制御手段は、
前記第二色の近傍ドットの入力信号値に基づき前記近似直線の傾きを決定し、該傾きに前記不良ドットの入力信号の値を乗じた値を算出する第１回路と、
前記第１回路により算出された値に、前記第二色の近傍ドットの入力信号値を加えて、前記第二色の近傍のドットに印加すべき補償信号値を算出し出力する第２回路とを備えることを特徴とする請求項２、５または６に記載の表示装置。
【請求項８】
前記第１回路は、ビットシフト回路により実現されることを特徴とする請求項７記載の表示装置。
【請求項９】
前記制御手段は、さらに、前記第三色の他の近傍ドットに印加する信号値を算出するため、前記不良ドットおよび前記複数の近傍ドットの各入力信号値に対して、それぞれ予め定める値に基づき、累乗の計算および乗算を行う第３回路を備えることを特徴とする請求項７または８記載の表示装置。
【請求項１０】
前記第３回路は、ルックアップテーブルにより実現されることを特徴とする請求項９記載の表示装置。
【請求項１１】
前記第一色が、赤のとき、第二色は、緑であることを特徴とする請求項１〜１０のいずれか１項に記載の表示装置。
【請求項１２】
前記第一色が、青のとき、第二色は、緑であることを特徴とする請求項１〜１０のいずれか１項に記載の表示装置。
【請求項１３】
複数の画素を備え、各画素では少なくとも３色のドットによって表示動作を行う表示装置の不良ドット補償方法において、
電気的に制御できない不良ドットが存在することによる表示不良を補償するため、第一色の該不良ドットと近傍の色が相違する複数の近傍ドットに印加する各補償信号値を、該複数の近傍ドットが発色することによって得られる色彩値と、前記不良ドットおよび前記複数の近傍ドットの各入力信号値に基づく本来の色彩値との色差が最小となるように制御するとき、
第二色の近傍ドットの補償信号値を、該不良ドットへの入力信号値および該第二色の近傍ドットへの入力信号値から近似曲線に基づく演算により決定した後、
第三色の他の近傍ドットに印加する補償信号値を、制御後の第二色および第三色の各近傍ドットにおける輝度の和が、第一色の不良ドット、第二色および第三色の各近傍ドットにおける本来の輝度の和と等しくなる演算により決定し、
上記第三色の他の近傍ドットの入力信号値は、本来の表示に比し、輝度差をゼロ、色差を最小とする第二色の近傍ドットの補償信号値がほぼ依存しない色の入力信号値であり、
前記近似曲線は、該第三色の入力信号値を用いない関数であることを特徴とする表示装置の不良ドット補償方法。
【発明の詳細な説明】
【０００１】
【発明の属する技術分野】
本発明は、電気的に制御できないドット（以下不良ドットという）を見えにくくする機能を備えた液晶表示装置（以下ＬＣＤという）や、プラズマディスプレイ装置（以下ＰＤＰという）等、画素構造を有する表示装置に関する。
【０００２】
【従来の技術】
ＬＣＤやＰＤＰ等の微細な画素を構成する３色のドットを空間的に配置して構成する表示装置では、その製法上、数百万個に１個の割合で不良ドットが存在する。このようなドットは光の強度を自由に制御できないため、当該ドットが関連する画素では色を自由に発色することができない。従って、数百万画素に一つといった極めて少ない割合でこのような不良が存在したとしても、画質上大きな問題になる。このため、表示装置は出荷選別を厳重にせざるを得ず、このことが全体のコストを押し上げ、また、普及促進を妨げる等の問題につながっている。
【０００３】
図１６は不良の生じた表示装置を模擬的に示した説明図である。図１６において、２０１は赤、２０２は青、２０３は緑それぞれのドット、２０４はブラックマトリックス部であり、色配列がいわゆる縦ストライプ配列の場合を示す。図１６において、ハッチングのかかった部分は、光っている部分を表しており、図１６はこのように、一面が青になっている場合の表示装置の表面を大きく拡大した場合に相当する。つまり、青のドット２０２のみが一面に光っている場合を仮定して以下の説明を行う。
【０００４】
図１６において、２０５の青のドットは不良で、このドットは黒点になっている場合を想定する。この場合、一面青に光らせるべきであるにもかかわらず、このドットは光らせることができない。従って、この部分に色の不連続を生じ、視覚上の画質劣化を生ずる。
【０００５】
このような不良ドットに対しては、製造技術自体を向上するのが根本対策である。例えば、製造装置の精密度、クリーン度などを向上する方法である。
【０００６】
あるいは、製造後の検査で発見した不良ドットに対して、回路パターン等の修正を施す方法もある。製造後の対策が可能な不良ドットにあっては、不良ドットの状況に応じてレーザ装置等で回路の焼断又は焼結等を行って、不良ドットを見えにくくする方法等の対策がとられている。
【０００７】
従来は、上記のように主として２つのアプローチ、つまり製造技術そのものの改善と、製造後の対策をおこなうことで不良率を低減して全体のコストダウンを図るようにしていた。
【０００８】
【発明が解決しようとする課題】
しかし、従来の対策方法では対策に大きなコストがかかるという問題があった。例えばクリーン度の高い設備を導入するには、極めて大きな導入コストがかかり、そのクリーン度維持にも大きなコストがかかる。
【０００９】
また、レーザ装置等で回路の焼断又は焼結を行って、不良ドットを見えにくくする方法等の対策についても、次に述べる問題がある。
【００１０】
まず、対策の結果を自由に選べないと言う問題である。つまり、レーザ装置で行う対策は回路を焼断するか又は焼結するかという２つの自由度しかないため、前記不良ドットを永久に解放するか又は導通するかしか選択できない。従って、完全に光る状態（輝点不良）又は、完全に光らない状態（黒点不良）のいずれかの状態にしか対策できない。このような対策で良品化できる不良というのは、もともとごく限られた不良であり、この技術だけでは、全体の不良率を大きく低減するには及ばない。
【００１１】
次に、対策のスループットが極めて低いという問題がある。これは、不良の内容を解析し、どこの回路をどのように焼断又は焼結すればよいか判断し、それを実行に移すまで、長い時間がかかるということである。このため、前記対策を行ったとしても、効率的に不良低減ができるとはいえない。
【００１２】
前記２点の問題点から、前記レーザ装置による対策を行ったとしても、全体の不良率を際だって低減するには遠く及ばないと言う問題がある。
【００１３】
結局、製造技術の向上、あるいはレーザ装置等による対策、いずれにしても、相応のコストがかかり、このことによって全体のコストを押し上げられる等の問題があった。
【００１４】
本発明は、上記問題点に鑑みなされたものであり、その目的は、電気的に制御できない不良ドットが存在することによる表示不良を望ましい方法で抑制でき、しかも、不良補正に対するコストダウンを実現する表示装置であって、回路構成の簡略化をも実現する表示装置を提供することにある。
【００１５】
【課題を解決するための手段】
本発明の表示装置は、上記課題を解決するために、複数の画素を備え、各画素では少なくとも３色のドットによって表示動作が行われる表示装置において、電気的に制御できない不良ドットが存在することによる表示不良を補償するため、該不良ドット近傍の複数のドットに印加する信号を、該複数のドットが発色することによって得られる色彩と、前記不良ドットおよび前記複数のドットの入力信号に基づく本来の色彩との差がより小さくなるように制御する制御手段を備え、前記制御手段は、前記複数のドットのうち、一のドットに印加する信号値を、前記不良ドットの本来の入力信号と、該入力信号に応じて前記一のドットに印加すべき信号値との相関関係から得られた関数に基づく演算により決定した後、他のドットに印加する信号値を演算により決定することを特徴としている。
【００１６】
上記の発明によれば、不良ドット近傍の複数のドットが発色することによって得られる色彩と、前記不良ドットおよび前記複数のドットの入力信号に基づく本来の色彩との差がより小さくなるように（好ましくは、その差が最小になるように）、前記複数のドットに印加する信号が制御される。これによって、不良ドットの本来の色彩と略等しい状態を当該ドット近傍に作り出すことが可能になり、不良ドットによる表示不良を抑制できる。また、本発明によれば、従来のレーザ装置による対策の場合に生じていた上記各問題点が生ずることもない。
【００１７】
さらに、制御手段は、前記複数のドットのうち、一のドットに印加する信号値を、前記不良ドットの本来の入力信号と、該入力信号に応じて前記一のドットに印加すべき信号値との相関関係から得られた関数に基づく演算により決定する。したがって、比較的簡単な演算によって一のドットに印加する信号値を決定でき、これにより、回路構成を簡略化できる。
【００１８】
本発明は、例えば液晶表示装置に好適に採用できるが、これに限らず、プラズマディスプレイ装置やエレクトロルミネセンス表示装置など他の表示装置にも同様に適用できる。また、本発明は、一枚の表示パネルによってカラー表示を行う表示装置に限らず、各色に対応した複数のパネルを備え、これらパネルからの光を合成してカラー表示を行う投射型表示装置（例えば、液晶プロジェクタ）などに対しても、同様に適用できる。
【００１９】
前記関数として、前記不良ドットの本来の入力信号と、該入力信号に応じて前記一のドットに印加すべき信号値との相関関係から得られた近似直線が用いられることは好ましく、これによって、演算を簡単なものにできる。
【００２０】
なお、前記関数としては、近似直線以外に、ＬＵＴ（ルックアップテーブル）等を用いて、実験結果から得られた上記相関関係により近い形に近似させた関数を用いることが考えられる。
【００２１】
前記色彩の差は、ＣＩＥ（１９７６）Ｌ＊ａ＊ｂ＊色差値で表される色彩の差であることは、好ましい。
【００２２】
また、本発明の表示装置において、前記制御手段は、前記複数のドットの輝度の和が、前記不良ドットおよび前記複数のドットの入力信号に基づく本来の輝度の和に略等しくなるように、前記複数のドットに印加する信号を制御することは、好ましい。これによって、不良ドットの本来の明るさと略等しい状態を当該ドット近傍に作り出すことができ、不良ドットによる表示不良を抑制できる。
【００２３】
また、本発明の表示装置において、前記近似直線の傾きが、前記一のドットの入力信号の値に基づき決定されることは好ましく、これによって、一のドットの入力信号の値に応じた近似直線の傾きを決定できる。
【００２４】
また、本発明の表示装置において、前記近似直線の傾きとして、０および１／２ｎ  （但しｎは０以上の整数）の値からなる近似値を用いることは好ましく、これによって、回路構成を一層簡略化できる。
【００２５】
また、本発明の表示装置において、前記制御手段は、前記一のドットの入力信号の値に基づき前記近似直線の傾きを決定し、該傾きに前記不良ドットの入力信号の値を乗じた値を算出する第１回路と、前記第１回路により算出された値に、前記一のドットの入力信号の値を加えて、前記一のドットに印加すべき信号値を算出し出力する第２回路とを備えることは好ましく、かかる簡単な回路構成によって、一のドットに印加すべき信号値を決定できる。
【００２６】
また、本発明の表示装置において、前記第１回路は、ビットシフト回路により実現されることは好ましく、これによって、回路構成を一層簡略化できる。
【００２７】
また、本発明の表示装置において、前記制御手段は、さらに、前記他のドットに印加する信号値を算出するため、前記不良ドットおよび前記複数のドットの各入力信号に対して、それぞれ予め定める値に基づき、累乗の計算および乗算を行う第３回路を備えることは好ましく、かかる第３回路を備えた回路構成によって、前記他のドットに印加すべき信号値を決定できる。
【００２８】
また、本発明の表示装置において、前記第３回路は、ルックアップテーブルにより実現されることは好ましく、これによって、回路構成を一層簡略化できる。
【００２９】
【発明の実施の形態】
本発明の実施の一形態について、図１〜図１５に基づいて説明すれば、以下の通りである。
【００３０】
図１は、本実施形態の表示パネルにおける不良ドットの周辺の状況を説明する図である。
【００３１】
図１において、１０１は赤、１０２は青、１０３は緑それぞれのドット、１０４はブラックマトリックス部であり、色配列がいわゆる縦ストライプ配列の場合を示す。図１において、ハッチングのかかった部分は光っている部分を表しており、図１はこのように、一面が赤になっている場合の表示装置の表面を大きく拡大してみた場合に相当する。つまり、赤のドット１０１のみが一面に光っている場合を仮定して以下の説明を行う。
【００３２】
尚、ここで、ドットとは、ＲＧＢ等の各色を表示する色の最小単位で、画素とは、そのＲＧＢ等のドットを各一つずつ含む画像の最小表示単位であり、一つの画素で色および明るさを表示できる。
【００３３】
図１において、赤のドット１０５は不良ドットで、このドットは黒点になっている場合を想定する。この場合、一面赤に光らせるべきであるにもかかわらず、このドットは光らせることができない。従って、この部分に色の不連続を生じ、視覚上の画質劣化を生ずる。
【００３４】
本実施形態では、不良である赤のドット１０５に隣接するドットである、青のドット１０６および緑のドット１０７に印加する信号を制御することによって、不良ドット１０５による表示不良を低減させる。つまり、やむを得ず生じた赤の不良ドット１０５が黒点になった場合、該不良ドットに隣接するドットである青ドット１０６および緑ドット１０７に印加する信号を制御して、該不良ドット１０５の本来の明るさおよび色彩と略等しい状態を当該ドット付近に作り出して、視覚的な妨害を低減させる。図１では、このように制御された信号が印加されて、青ドット１０６および緑ドット１０７が光っている状態をハッチングによって示している。
【００３５】
ところで、図２に、視覚の空間周波数特性を示す。本例は、坂田、磯野“視覚における色度の空間周波数特性”テレビジョン学会誌，Ｖｏ１．３１，Ｎｏ１，ｐｐ．２９−３５（１９７６）に示す例であり、横軸が空間周波数、つまり画像の細かさ、一方縦軸は相対的なレスポンスを示している。また、グラフの３本の曲線のパラメータは、測定した色の条件を示している。
【００３６】
同図によると、視覚の明暗のレスポンスは、赤−緑、黄−青のレスポンスに比較して、帯域が約３倍から５倍広いことが分かる。
【００３７】
視覚の空間周波数レスポンスの測定例は、上記坂田ら以外にも多数存在するが、いずれも概ね、明暗のレスポンスが色のレスポンスに比較して数倍程度帯域が広いとされている。つまり、視覚の特性は、一般に、細かな色の変化は、細かな明るさの変化に対して認識されにくいようになっているといえる。
【００３８】
そこで、本実施形態では、青ドット１０６および緑ドット１０７の輝度の和が、不良ドット１０５およびその近傍ドット１０６・１０７の入力信号に基づく本来の輝度の和に略等しくなるように、さらに、青ドット１０６および緑ドット１０７が発色することによって得られる色彩と、不良ドット１０５およびその近傍ドット１０６・１０７の入力信号に基づく本来の色彩との差がより小さくなるように（好ましくは、その差が最小になるように）、青ドット１０６および緑ドット１０７に印加する信号を制御する。具体的には、各ドット１０５〜１０７の色信号の入力に基づき、後述の演算回路３０２により、以下のような演算を行うことによって、近傍ドット１０６・１０７への印加信号を決定する。
【００３９】
不良ドット１０５、緑ドット１０７、青ドット１０６の入力信号に基づく本来の輝度である入力輝度を（Ｒ１，Ｇ１，Ｂ１）とし、不良ドット１０５、緑ドット１０７、青ドット１０６に対する上記制御後（欠陥修正後）の輝度を（Ｒ２，Ｇ２，Ｂ２）とすると、本実施形態では、緑ドット１０７、青ドット１０６にそれぞれ印加する信号に対応する輝度の値Ｇ２，Ｂ２を次のようにして求める。
【００４０】
すなわち、任意の入力輝度（Ｒ１，Ｇ１，Ｂ１）に対して、制御後の輝度が略等しくなるように、さらに、これらドット１０５〜１０７からなる本来の色彩と制御後の色彩との差がより小さくなるように（好ましくは、その差が最小になるように）、（Ｒ１，Ｇ１，Ｂ１）に対応した（Ｇ２，Ｂ２）を求める。これは、次のように２段階のアルゴリズムに分けて求めることとする。
【００４１】
１）まず、入力輝度（Ｒ１，Ｇ１，Ｂ１）に対し、最適なＧ２、つまり、輝度差ΔＬ＊＝０で、色差ΔＥ＊が最小（ｍｉｎ）となるＧ２を求める。
【００４２】
２）次に、求めたＧ２に対し、ΔＬ＊＝０を満たすＢ２を求める。
【００４３】
なお、本実施形態では、前記色差ΔＥ＊につき、ＣＩＥ（１９７６）Ｌ＊ａ＊ｂ＊色差を用いることとする。このＣＩＥ（１９７６）Ｌ＊ａ＊ｂ＊色差の基礎となるＣＩＥ（１９７６）Ｌ＊ａ＊ｂ＊色彩値については、特開平９−３２９４９５号公報等にも説明されており、既によく知られた値である。
【００４４】
ここで、まず、１）で算出するＧ２について、最適なＧ２の傾向を調べるために、以下の実験を行った。すなわち、Ｇ１とＢ１を固定し、Ｒ１を変化させたときのＧ２の変化を調べた。すると、図３〜図７に示されるように、Ｒ１の値とこれに対応する最適なＧ２の値との関係を示すＲ１−Ｇ２グラフは、Ｂ１の値にかかわらず、Ｇ１が等しいときには同じような傾向が見られることがわかった。つまり、最適なＧ２は、Ｇ１、Ｒ１にのみ依存し、ほぼＢ１にはよらないということがいえる。
【００４５】
なお、図３は、Ｇ１＝０の場合、図４は、Ｇ１＝６４の場合、図５は、Ｇ１＝１２８の場合、図６は、Ｇ１＝１９２の場合、図７は、Ｇ１＝２５５の場合である。また、ＲＧＢ各色については、８ｂｉｔ  （２５６階調）により階調表示されるものとする。
【００４６】
そこで、上記実験結果より、入力値Ｇ１の各値に応じた上記Ｒ１−Ｇ２グラフから近似直線を導き、この近似直線によってＧ２を求めることにする。すなわち、入力値Ｇ１、Ｒ１から直線近似によってＧ２を求めるものであり、具体的には下記の式（１）によってＧ２を求める。
【００４７】
Ｇ２＝ａ（Ｇ１）×Ｒ１＋Ｇ１          …（１）
ここで、ａ（Ｇ１）は、近似直線の傾きを示す。そして、この傾きａ（Ｇ１）は、本実施形態では、図８に示されるような、Ｇ１の値とこれに対応する傾きａ（Ｇ１）の値との関係を示すＧ１−ａ（Ｇ１）グラフから定まるものである。なお、この近似直線の傾きａ（Ｇ１）は、例えば、下記の表１に示されるように、図３〜図７に示される各近似直線の傾きとなるものであり、図８のＧ１−ａ（Ｇ１）グラフは、かかる実験結果から導き出されるものである。
【００４８】
【表１】
0003565328.tif 000002
【００４９】
以上のように、Ｇ２，Ｂ２のうち、Ｇ２を、上記Ｒ１−Ｇ２グラフから得られた関数（ここでは、近似直線を示す上記式（１））に基づく演算により決定している。したがって、比較的簡単な演算によってＧ２の値を決定でき、これにより、回路構成を簡略化できる。
【００５０】
なお、後述のように、傾きａ（Ｇ１）として、０および１／２ｎ  （但しｎは０以上の整数）の値からなる近似値を用いてＧ２の値を求めることとしてもよい。この場合、ビットシフト回路により回路を実現でき、回路構成をさらに簡略化できる。
【００５１】
次に、上記２）においてＢ２を求める方法としては、ＣＩＥ（１９７６）Ｌ＊ａ＊ｂ＊色彩値の定義式から導き出される下記の式（２）によって、Ｂ２を求める。すなわち、ΔＬ＊＝０⇔Ｌ１  ＊＝Ｌ２  ＊⇔Ｙ１  ＝Ｙ２  、Ｒ２  ＝０より、
【００５２】
【数１】
0003565328.tif 000003
【００５３】
ここでγとは、表示装置への入力信号と該表示装置の出力である表示特性の関係を指数関数で表した場合の指数部の値で、対象となる表示装置又は表示信号によって異なる値となる。また、γＲ  、γＧ  、γＢ  は、それぞれＲＧＢ各色のγを示す。また、Ｙは、ＣＩＥ（１９７６）Ｌ＊ａ＊ｂ＊色彩値の定義式における三刺激値の一つであり、ＹＲ  、ＹＧ  、ＹＢ  は、それぞれＲＧＢ各色のＹを示す。
【００５４】
以上のようにして求めたＧ２、Ｂ２を、それぞれ、赤の不良ドット１０５に隣接する緑のドット１０７および青のドット１０６に印加することによって、該不良ドット１０５の本来の明るさおよび色彩と略等しい状態を当該ドット付近に作り出して、不良ドット１０５による表示不良を抑制することができる。
【００５５】
なお、上記の例では、不良ドットが赤（Ｒ）の場合であったが、青（Ｂ）や緑（Ｇ）のドットが不良ドットの場合も、上記と同様にして、入力信号に基づき、不良ドットに隣接する二つのドットに印加する信号を演算により順次求めることとすればよい。
【００５６】
例えば、図１４には、隣接画素Ｓ・Ｔが示されるが、このうちの青ドット１１３が不良ドットの場合に、該ドット１１３に隣接する二つのドット１１２・１１４に印加する信号を制御する例について説明する。
【００５７】
緑ドット１１２、不良ドット１１３、赤ドット１１４の入力信号に基づく本来の輝度である入力輝度を（Ｇ１，Ｂ１，Ｒ１）とし、緑ドット１１２、不良ドット１１３、赤ドット１１４に対する上記制御後（欠陥修正後）の輝度を（Ｇ２，Ｂ２，Ｒ２）とすると、この例では、緑ドット１１２、赤ドット１１４にそれぞれ印加する信号に対応する輝度の値Ｇ２，Ｒ２を次のように２段階のアルゴリズムに分けて求めることとする。
【００５８】
１）まず、入力輝度（Ｇ１，Ｂ１，Ｒ１）に対し、最適なＧ２、つまり、輝度差ΔＬ＊＝０で、色差ΔＥ＊が最小（ｍｉｎ）となるＧ２を求める。
【００５９】
２）次に、求めたＧ２に対し、ΔＬ＊＝０を満たすＲ２を求める。
【００６０】
具体的には、以下のように求める。
【００６１】
青（Ｂ）欠陥の場合、最適なＧ２は、Ｇ１、Ｂ１にのみ依存し、ほぼＲ１にはよらないので、上述の赤（Ｒ）欠陥の場合と同様に、下記の式（３）によってＧ２を求める。
【００６２】
Ｇ２＝ｂ（Ｇ１）×Ｂ１＋Ｇ１          …（３）
ここで、ｂ（Ｇ１）は、上記ａ（Ｇ１）と同様に、近似直線の傾きを示し、実験結果などから導き出すことができる。
【００６３】
次に、上記２）においてＲ２を求める方法としては、ＣＩＥ（１９７６）Ｌ＊ａ＊ｂ＊色彩値の定義式から導き出される下記の式（４）によって、Ｒ２を求める。すなわち、ΔＬ＊＝０⇔Ｌ１  ＊＝Ｌ２  ＊⇔Ｙ１  ＝Ｙ２  、Ｂ２  ＝０より、
【００６４】
【数２】
0003565328.tif 000004
【００６５】
以上のようにして求めたＧ２、Ｒ２を、それぞれ、緑ドット１１２、赤ドット１１４に印加することとすればよい。
【００６６】
本実施形態では、ＣＩＥ（１９７６）Ｌ＊ａ＊ｂ＊色彩値に基づいて演算を行ったが、本発明はこれに限定されるものではなく、例えば、ＣＩＥ（１９７６）Ｌ＊ｕ＊ｖ＊色彩値やＣＩＥＬａｂ９７ｓ色彩値などに基づき演算を行ってもよく、人間が感ずる色彩を示す色彩値であれば、基本的にどのようなものでもよい。
【００６７】
また、本実施形態では、色彩の差だけでなく、輝度の差についても、隣接する２ドットの輝度の和が、不良ドットおよび隣接する２ドットの入力信号に基づく本来の輝度の和に略等しくなるように（つまり、輝度差ΔＬ＊＝０となるように）、隣接する２ドットに印加する信号を制御するものであったが、色彩の差についてのみ考慮し、この差がより小さくなるように近傍ドット印加信号を制御するものであってもよい。
【００６８】
なお、上記Ｒ１−Ｇ２グラフから得られた関数として、本実施形態では、近似直線を示す上記式（１）を用いたが、このような近似直線に限らず、例えば、ＬＵＴ（ルックアップテーブル）を用いて、本来のグラフ（Ｒ１とこれに対する最適なＧ２との関係）により近い形に近似させた関数を用いてもよい。
【００６９】
例えば、Ｇ２を求める式として、上記式（１）では、
Ｇ２＝ａ（Ｇ１）×Ｒ１＋Ｇ１
と、Ｒ１に関して一次式で近似（すなわち、直線近似）しているが、これを、
Ｇ２＝ａ２（Ｇ１）×Ｒ１２  ＋ａ１（Ｇ１）×Ｒ１＋Ｇ１
Ｇ２＝ａ３（Ｇ１）×Ｒ１３  ＋ａ２（Ｇ１）×Ｒ１２  ＋ａ１（Ｇ１）×Ｒ１＋Ｇ１
といった、より高次の多項式で近似（すなわち、曲線近似）すれば、図３〜図７からわかるように、誤差をより小さく（より本来の値に近い形に）することができる。ここで、上記各係数ａ１  、ａ２  、ａ３  などはＧ１の関数であり、実験などにより求めることができる。
【００７０】
次に、本実施形態における回路構成について説明する。
【００７１】
図９は、本実施形態の回路構成を示すブロック図である。同図において、３０１はアドレス検出回路、３０２は演算回路（制御手段）、３０３はスイッチ回路、３０４は表示パネル、３０５は遅延回路である。
【００７２】
表示パネル３０４には、図示するアドレス（ｘ，ｙ）の位置に不良ドットがあるものとする。
【００７３】
アドレス検出回路３０１は、同期信号をもとに、現時点の表示位置を割り出し、不良ドットの位置（ｘ，ｙ）を表示するタイミングでフラグ信号（切換信号）をスイッチ回路３０３に加える。このような回路は、具体的には、簡単なカウンタで回路を実現できる。
【００７４】
尚、アドレス検出回路３０１にこのような動作を行わせしめるため、別途不良ドット位置を検出し、丁度該不良ドットのアドレスになった時にフラグ信号を出力するように、カウンタにプリセットしておく。不良ドットのアドレス検出については、ここでは詳細にはふれないが、簡単には全点灯試験して不良ドットを特定し、そのアドレスをセットするようにすればよい。
【００７５】
スイッチ回路３０３には、遅延回路３０５を通った入力信号と、演算回路３０２の出力とが入力されていて、フラグ信号のタイミングで演算回路３０２の出力が、またそれ以外では遅延回路３０５を通過した入力信号がそのまま、それぞれ出力される。
【００７６】
演算回路３０２は、本実施形態においては、不良ドット１０５近傍の２ドット１０６・１０７に印加する信号値Ｇ２、Ｂ２を求めるべく、上記式（１）（２）の演算を行う。具体的なハードウエアとしては、例えば、ＣＰＵやＤＳＰ等を用いることができる。この演算回路３０２の構成については、後に詳述する。
【００７７】
また、遅延回路３０５は、演算回路３０２での演算時間遅れを調整するために、入力信号と同期信号に対して、適当な時間遅延を作用させる。もっとも、演算回路３０２の時間遅れが無視しうるほど小さければ、図１０に示されるような遅延回路が省略された構成であってもよい。
【００７８】
次に、図１１を参照して、演算回路３０２の構成について説明する。図１１は、演算回路３０２の赤（Ｒ）欠陥部分のより詳しい回路図である。同図に示すように、演算回路３０２は、上記式（１）の演算を行う回路４０１・４０５・４０９と、上記式（２）の演算を行う回路４０２〜４０４・４０６〜４０８・４１０〜４１５とを備えている。なお、図１１の構成では、回路４０１および回路４０５が第１回路に相当する。また、回路４０９が第２回路に相当し、回路４０２〜４０４・４０６〜４０８が第３回路に相当する。また、上記回路４０２〜４０４、４１１、４１５は、ＬＵＴ（ルックアップテーブル）により、累乗の計算を行う回路となっている。
【００７９】
回路４０１には、Ｇ１が入力され、これに対応した傾きａ（Ｇ１）が算出され、出力される。回路４０５は、乗算器であり、Ｒ１とａ（Ｇ１）とが入力され、ａ（Ｇ１）×Ｒ１の値が出力される。回路４０９は、加算器であり、Ｇ１とａ（Ｇ１）×Ｒ１の値とが入力され、ａ（Ｇ１）×Ｒ１＋Ｇ１の値が出力される。この値が、Ｇ２として演算回路３０２から出力される。
【００８０】
一方、回路４０２には、Ｒ１が入力され、（Ｒ１／２５５）のγＲ  乗の値が出力される。この値とＹＲ  とが乗算器４０６に入力され、ＹＲ  ×（Ｒ１／２５５）のγＲ  乗の値が出力される。
【００８１】
同様に、回路４０３には、Ｇ１が入力され、（Ｇ１／２５５）のγＧ  乗の値が出力される。この値とＹＧ  とが乗算器４０７に入力され、ＹＧ  ×（Ｇ１／２５５）のγＧ  乗の値が出力される。また、回路４０４には、Ｂ１が入力され、（Ｂ１／２５５）のγＢ  乗の値が出力される。この値とＹＢ  とが乗算器４０８に入力され、ＹＢ  ×（Ｂ１／２５５）のγＢ  乗の値が出力される。
【００８２】
乗算器４０６〜４０８からの各出力は、回路４１０に送られる。回路４１０は、加算器であり、乗算器４０６〜４０８からの各出力値を加算し、この加算値を減算器４１３に出力する。
【００８３】
一方、回路４１１には、加算器４０９からの出力であるＧ２が入力され、（Ｇ２／２５５）のγＧ  乗の値が出力される。この値とＹＧ  とが乗算器４１２に入力され、ＹＧ  ×（Ｇ２／２５５）のγＧ  乗の値が出力される。この値は、減算器４１３に送られる。
【００８４】
減算器４１３では、加算器４１０からの加算値に対して乗算器４１２からの値を差し引いた値が算出され、除算器４１４に出力される。除算器４１４では、ＹＢ  と減算器４１３からの値とが入力され、減算器４１３からの値をＹＢ  で除した値が出力される。この値は、回路４１５に送られる。
【００８５】
回路４１５では、除算器４１４からの値の１／γＢ  乗の値に２５５を乗じた値が算出され、出力される。この回路４１５からの出力値が、Ｂ２として演算回路３０２から出力される。
【００８６】
また、演算回路３０２の回路構成は、図１１に示した構成に限らず、これよりも構成を簡略化できる。図１２では、より構成が簡略化された演算回路３０２の構成例が示される。この例では、演算回路３０２は、上記式（１）の演算を行う回路５０１・５０５と、上記式（２）の演算を行う回路５０２〜５０４・５０６〜５０９とを備えている。なお、図１２の構成では、回路５０１が第１回路に相当する。また、回路５０５が第２回路に相当し、回路５０２〜５０４が第３回路に相当する。なお、上記回路５０２〜５０４、５０７、５０９は、ＬＵＴ等により、累乗の計算および乗算等の計算をまとめて行う回路となっている。
【００８７】
ビットシフト回路である回路５０１には、Ｒ１とＧ１とが入力され、Ｇ１に対応した傾きａ（Ｇ１）とＲ１とを乗じた値ａ（Ｇ１）×Ｒ１が算出され、出力される。回路５０５は、加算器であり、Ｇ１とａ（Ｇ１）×Ｒ１の値とが入力され、ａ（Ｇ１）×Ｒ１＋Ｇ１の値が出力される。この値が、Ｇ２として演算回路３０２から出力される。
【００８８】
一方、回路５０２には、Ｒ１が入力され、ＹＲ  ×（Ｒ１／２５５）のγＲ  乗の値が算出され、出力される。同様に、回路５０３には、Ｇ１が入力され、ＹＧ  ×（Ｇ１／２５５）のγＧ  乗の値が出力される。また、回路５０４には、Ｂ１が入力され、ＹＢ  ×（Ｂ１／２５５）のγＢ  乗の値が出力される。
【００８９】
回路５０２〜５０４からの各出力は、回路５０６に送られる。回路５０６は、加算器であり、回路５０２〜５０４からの各出力値を加算し、この加算値を減算器５０８に出力する。
【００９０】
一方、回路５０７には、加算器５０５からの出力であるＧ２が入力され、ＹＧ  ×（Ｇ２／２５５）のγＧ  乗の値が出力される。この値は、減算器５０８に送られる。
【００９１】
減算器５０８では、加算器５０６からの加算値に対して回路５０７からの値を差し引いた値が算出され、回路５０９に出力される。回路５０９では、減算器５０８からの値をＹＢ  で除した値の１／γＢ  乗の値に２５５を乗じた値が算出され、出力される。この回路５０９からの出力値が、Ｂ２として演算回路３０２から出力される。
【００９２】
上記図１２に示す構成例では、第１回路としてビットシフト回路５０１が用いられている。この場合、傾きａ（Ｇ１）として、０および１／２ｎ  （但しｎは０以上の整数）の値からなる近似値が用いられる。例えば、ｎ＝２とすると、図８に示すように、ａ（Ｇ１）の値は、０、１／２、１／４のうちのいずれかの値に限定され、回路５０１は、ａ（Ｇ１）＝１／２の場合は１ビット、ａ（Ｇ１）＝１／４の場合は２ビットのビットシフト回路で実現することができる。このように、図１２の構成では、傾きａ（Ｇ１）として、０および１／２ｎ  の値からなる近似値が用いられており、回路５０１は、単純なビットシフト回路で実現することができる。
【００９３】
また、図１２に示す構成例では、回路５０２〜５０４、５０７、５０９が、累乗等の計算を行う回路と乗算器等をまとめて１つのＬＵＴに構成されており、図１１の構成と比較して、さらに簡単な回路構成を実現している。
【００９４】
なお、上記の構成では、傾きａ（Ｇ１）として、０および１／２ｎ  の値からなる近似値が用いられるが、このほかに、傾きａ（Ｇ１）として、０の値および２ｎ  （但しｎは１以上の整数）個の値からなる近似値が用いられる構成としてもよい。例えば、ｎ＝２とすると、図１５に示すように、Ｇ１の値が４つの領域に分割され、各領域におけるａ（Ｇ１）の平均値（点線にて示す）が、その領域のＧ１に対応するａ（Ｇ１）と定められる。ただし、このように構成した場合、回路は、ビットシフト回路ではなく、ルックアップテーブル（ＬＵＴ）を用いた構成となる。
【００９５】
本発明は、例えば液晶表示装置に好適に採用できるが、これに限らず、画素構造を有し、データ信号がデジタルで処理されるような表示装置であれば、プラズマディスプレイ装置（ＰＤＰ）やエレクトロルミネセンス表示装置（ＥＬ）など他の表示装置にも同様に適用できる。また、本発明は、一枚の表示パネルによってカラー表示を行う表示装置に限らず、各色に対応した複数のパネルを備え、これらパネルからの光を合成してカラー表示を行う投射型表示装置（例えば、液晶プロジェクタ）などに対しても、同様に適用できる。
【００９６】
また、本実施形態は、表示パネルがＲＧＢ縦ストライプ配列のものであったが、本発明はこれに限られるものではなく、デルタ配列、モザイク配列など他の配列の表示パネルに対しても、同様に適用できる。
【００９７】
本実施形態では、以上のように、青ドット１０６および緑ドット１０７が発色することによって得られる色彩と、不良ドット１０５およびその近傍ドット１０６・１０７の入力信号に基づく本来の色彩との差がより小さくなるように（好ましくは、その差が最小になるように）、青ドット１０６および緑ドット１０７に印加する信号を制御した。
【００９８】
このほかに、不良ドット近傍の複数のドットが発色することによって得られる色彩が、不良ドットを含む画素の本来の色彩と該画素近傍の一又は二以上の画素の本来の色彩との平均の色彩により近い値となるように（好ましくは、その差が最小になるように）、該複数のドットに印加する信号を制御してもよい。
【００９９】
例えば、図１３に示すように、不良ドット６０１に隣接する二つのドット６０２・６０３が発色することによって得られる色彩が、不良ドット６０１を含む画素Ｔの本来の色彩と該画素Ｔに隣接する二つの画素Ｓ・Ｕの本来の色彩との平均の色彩により近い値となるように、二つのドット６０２・６０３に印加する信号を制御してもよい。
【０１００】
この場合、演算回路３０２では、まず、隣接画素Ｓ・Ｔ・Ｕの各ＲＧＢ信号の入力に基づき、これら３画素Ｓ・Ｔ・Ｕの平均のＬ＊、ａ＊、ｂ＊であるＬ＊（平均）、ａ＊（平均）、ｂ＊（平均）がそれぞれ算出される。
【０１０１】
その後、演算回路３０２では、次の演算が行われる。すなわち、青のドットが不良である場合には、青の出力を０として、得られたＬ＊（平均）、ａ＊（平均）、ｂ＊（平均）に最も近い色彩値が得られる緑、赤を出力値とする。
【０１０２】
以下では、青（Ｂ）のドットが不良である場合を例に、演算回路３０２における上記演算について、より詳細に説明する。
【０１０３】
画素Ｓ・Ｔ・Ｕの各画素の本来の信号値を、それぞれ、（ＲＳ１、ＧＳ１、ＢＳ１）、（ＲＴ１、ＧＴ１、ＢＴ１）、（ＲＵ１、ＧＵ１、ＢＵ１）とし、実際にＳ・Ｔ・Ｕ各画素に印加する信号値を、それぞれ、（ＲＳ２、ＧＳ２、ＢＳ２）、（ＲＴ２、ＧＴ２、ＢＴ２）、（ＲＵ２、ＧＵ２、ＢＵ２）とする。
【０１０４】
また、Ｓ・Ｔ・Ｕ各画素の本来の色彩値を、それぞれ、（Ｌ＊Ｓ１、ａ＊Ｓ１、ｂ＊Ｓ１）、（Ｌ＊Ｔ１、ａ＊Ｔ１、ｂ＊Ｔ１）、（Ｌ＊Ｕ１、ａ＊Ｕ１、ｂ＊Ｕ１）とし、Ｓ・Ｔ・Ｕ各画素の実際の色彩値を、それぞれ、（Ｌ＊Ｓ２、ａ＊Ｓ２、ｂ＊Ｓ２）、（Ｌ＊Ｔ２、ａ＊Ｔ２、ｂ＊Ｔ２）、（Ｌ＊Ｕ２、ａ＊Ｕ２、ｂ＊Ｕ２）とする。
【０１０５】
そうすると、まず、演算回路３０２では、８ｂｉｔ  （２５６階調）の条件の下で、下記のＣＩＥ（１９７６）Ｌ＊ａ＊ｂ＊色彩値の定義式（５）、（６）に基づいて、Ｓ・Ｔ・Ｕ各画素の本来の色彩値である（Ｌ＊Ｓ１、ａ＊Ｓ１、ｂ＊Ｓ１）、（Ｌ＊Ｔ１、ａ＊Ｔ１、ｂ＊Ｔ１）、（Ｌ＊Ｕ１、ａ＊Ｕ１、ｂ＊Ｕ１）を計算する。
【０１０６】
【数３】
0003565328.tif 000005
【０１０７】
【数４】
0003565328.tif 000006
【０１０８】
次に、演算回路３０２では、Ｓ・Ｔ・Ｕ３画素平均の本来の色彩値（Ｌ＊ａｖｇ１、ａ＊ａｖｇ１、ｂ＊ａｖｇ１）を次式に基づいて計算する。
【０１０９】
Ｌ＊ａｖｇ１＝（Ｌ＊Ｓ１＋Ｌ＊Ｔ１＋Ｌ＊Ｕ１）／３
ａ＊ａｖｇ１＝（ａ＊Ｓ１＋ａ＊Ｔ１＋ａ＊Ｕ１）／３
ｂ＊ａｖｇ１＝（ｂ＊Ｓ１＋ｂ＊Ｔ１＋ｂ＊Ｕ１）／３
そして、演算回路３０２では、ドット６０２・６０３への出力信号、すなわち、ＧＴ２、ＲＵ２を、以下のようにして求める。
【０１１０】
Ｓ・Ｔ・Ｕ３画素平均の実際の色彩値（Ｌ＊ａｖｇ２、ａ＊ａｖｇ２、ｂ＊ａｖｇ２）を、それぞれ、
Ｌ＊ａｖｇ２＝（Ｌ＊Ｓ２＋Ｌ＊Ｔ２＋Ｌ＊Ｕ２）／３
ａ＊ａｖｇ２＝（ａ＊Ｓ２＋ａ＊Ｔ２＋ａ＊Ｕ２）／３
ｂ＊ａｖｇ２＝（ｂ＊Ｓ２＋ｂ＊Ｔ２＋ｂ＊Ｕ２）／３
とする。
【０１１１】
ここで、平均の輝度を補正前後（制御前後）で等しくするため、
Ｌ＊ａｖｇ１＝Ｌ＊ａｖｇ２          …  （７）
また、ここでは、青（Ｂ）ドット欠陥であり、かつ、制御調整するのはドット６０２・６０３への出力信号だけなので、出力信号値のうち変数は、ＧＴ２、ＲＵ２の二つだけである。よって、上記式（７）より、ＲＵ２はＧＴ２の関数として表すことができる。
【０１１２】
そして、出力の平均の色彩値が本来の平均の色彩値に最も近くなるような、つまり、｜ａ＊ａｖｇ２−ａ＊ａｖｇ１｜、｜ｂ＊ａｖｇ２−ｂ＊ａｖｇ１｜が最も小さくなるような、ＧＴ２の値を求める。
【０１１３】
ＧＴ２の値が求められたら、上記式（７）より、ＲＵ２を求めることができる。
【０１１４】
このようにして得られた緑、赤の出力値ＧＴ２、ＲＵ２を、不良ドット６０１に隣接する二つのドット６０２・６０３に印加することによって、不良ドット６０１がある場合でも、該不良ドット６０１を含む画素Ｔまたはその画素Ｔ近傍で本来の色彩にマッチした色彩を表示することが可能になり、不良ドット６０１が非常に目立ちにくくなる。
【０１１５】
本実施形態は、不良ドットに隣接する二つのドットに印加する信号を制御するものであったが、本発明はこれに限定されるものではない。隣接しない不良ドット近傍の二ドットに対する印加信号を制御することとしてもよい。
【０１１６】
また、二ドットでなく、不良ドット近傍の三ドット以上のドットに対する印加信号を制御することとしてもよい。
【０１１７】
例えば、不良ドット近傍の４ドットを制御する場合について、図１４を参照して説明する。この例では、画素ＴのＲドット１１４が欠陥ドットの場合に、画素ＳのＧ・Ｂドット１１２・１１３、および画素ＴのＧ・Ｂドット１１５・１１６の４ドットを制御して、輝度差ΔＬ＊を最小にし補正するものとする。
【０１１８】
ここで、画素ＳのＲＧＢドット，および画素ＴのＲＧＢドットへの本来の入力をそれぞれ（ＲＳ１、ＧＳ１、ＢＳ１）（ＲＴ１、ＧＴ１、ＢＴ１）とし、各ドットへの出力をそれぞれ（ＲＳ２、ＧＳ２、ＢＳ２）（ＲＴ２、ＧＴ２、ＢＴ２）とすると、上記式（５）と同様に、
【０１１９】
【数５】
0003565328.tif 000007
【０１２０】
と定義でき、ＹＳｉ、ＹＴｉ、ＺＳｉ、ＺＴｉについても同様に定義できる。
【０１２１】
また、上記式（６）より、
【０１２２】
【数６】
0003565328.tif 000008
【０１２３】
と定義でき、Ｌ＊Ｔｉ、ａ＊Ｓｉ、ａ＊Ｔｉ、ｂ＊Ｓｉ、ｂ＊Ｔｉについても同様に定義できる。
【０１２４】
そして、Ｓ・Ｔ２画素平均の本来の色彩値（Ｌ＊ａｖｇ１、ａ＊ａｖｇ１、ｂ＊ａｖｇ１）は、
Ｌ＊ａｖｇ１＝（Ｌ＊Ｓ１＋Ｌ＊Ｔ１）／２
ａ＊ａｖｇ１＝（ａ＊Ｓ１＋ａ＊Ｔ１）／２
ｂ＊ａｖｇ１＝（ｂ＊Ｓ１＋ｂ＊Ｔ１）／２
であり、Ｓ・Ｔ２画素平均の実際の色彩値（Ｌ＊ａｖｇ２、ａ＊ａｖｇ２、ｂ＊ａｖｇ２）は、それぞれ、
Ｌ＊ａｖｇ２＝（Ｌ＊Ｓ２＋Ｌ＊Ｔ２）／２
ａ＊ａｖｇ２＝（ａ＊Ｓ２＋ａ＊Ｔ２）／２
ｂ＊ａｖｇ２＝（ｂ＊Ｓ２＋ｂ＊Ｔ２）／２
である。そこで、演算回路３０２における上記演算と同様に、Ｌ＊ａｖｇ２−Ｌ＊ａｖｇ１＝０を満たし、かつ、｜ａ＊ａｖｇ２−ａ＊ａｖｇ１｜、｜ｂ＊ａｖｇ２−ｂ＊ａｖｇ１｜が最も小さくなるような、ＧＳ２、ＢＳ２、ＧＴ２、ＢＴ２の値を求め、それぞれドット１１２・１１３・１１５・１１６への出力とすればよい。
【０１２５】
このように、制御するドットの数は、三ドット以上でもよい。
【０１２６】
【発明の効果】
以上のように、本発明を構成するための追加回路はわずかである。本発明では、このようなわずかな回路追加で、従来不良ドットが基準数を越えていたために廃棄されていたパネルを利用可能な状況にできるので、大面積、高密度等、単価が高いパネルであればあるほど、全体としてみたコストダウン効果が大きいという効果を奏する。
【０１２７】
もちろん、レーザ装置を用いた機械的な加工等も不要になる。同対策では、不良の内容を解析し、どこの回路をどのように焼断又は焼結すればよいか判断し、それを実行に移すという手順をとっていたために、対策のスループットが極めて低いという問題があった。
【０１２８】
これに対し本発明の方法では、例えばカウンタに不良ドットのアドレスを設定しさえすればよいので、補正のスループットも大幅に向上できる。
【０１２９】
また、対策の結果も、例えば演算回路のＬＵＴの内容さえ変更すれば、自由に選べるようになる。つまり、レーザ装置で行う対策は回路を焼断するか、又は焼結するかという２つの自由度しかないため、当該ドットを永久に解放するか又は導通するかしか選択できない。従って、完全に光る状態（輝点不良）又は、完全に光らない状態（黒点不良）のいずれかの状態にしか対策できなかったが、本発明では例えばＬＵＴの選び方次第でどのような補正でも行うことが可能になる。
【０１３０】
また、不良ドットを含む画素の本来の色彩値に最も近い色彩値を表示するようにしたり、近傍画素の色彩値を考慮して、それらの平均の色彩値に最も近い色彩値を表示するなどとすることにより、補正後に残留する妨害の程度を大幅に低減することが可能になる。
【０１３１】
このことはまた、本発明による補正が幅広い不良に対応でき、従来廃棄されていた不良品を幅広く救済することができ、全体の不良率を大きく低減できる効果があることを意味する。
【０１３２】
前記のように、本発明によれば、製造技術の向上、あるいはレーザ装置等による対策、いずれにしても、相応のコストがかかり、このことによって全体のコストが押し上げられ、その結果普及促進を妨げる等の問題があった従来の対策に比較し、大幅なコストダウンが可能になるという効果がある。
【図面の簡単な説明】
【図１】本発明の実施の一形態に係る表示パネルにおいて、不良ドットの隣接２ドットに対する印加信号の制御について説明する図である。
【図２】視覚の空間周波数特性を示すグラフである。
【図３】Ｇ１＝０の場合の、Ｒ１の値とこれに対応する最適なＧ２の値との関係を示すＲ１−Ｇ２グラフである。
【図４】Ｇ１＝６４の場合の、Ｒ１の値とこれに対応する最適なＧ２の値との関係を示すＲ１−Ｇ２グラフである。
【図５】Ｇ１＝１２８の場合の、Ｒ１の値とこれに対応する最適なＧ２の値との関係を示すＲ１−Ｇ２グラフである。
【図６】Ｇ１＝１９２の場合の、Ｒ１の値とこれに対応する最適なＧ２の値との関係を示すＲ１−Ｇ２グラフである。
【図７】Ｇ１＝２５５の場合の、Ｒ１の値とこれに対応する最適なＧ２の値との関係を示すＲ１−Ｇ２グラフである。
【図８】Ｇ１の値とこれに対応する傾きａ（Ｇ１）の値との関係を示すＧ１−ａ（Ｇ１）グラフである。
【図９】本実施形態に係る回路構成を示すブロック図である。
【図１０】本実施形態に係る他の回路構成を示すブロック図である。
【図１１】本実施形態における演算回路の構成を示すブロック図である。
【図１２】本実施形態における演算回路の他の構成を示すブロック図である。
【図１３】本発明による不良ドットの近傍ドットに対する印加信号の制御について、他の例を説明する図である。
【図１４】本発明による不良ドットの近傍ドットに対する印加信号の制御について、他の例を説明する図である。
【図１５】傾きａ（Ｇ１）として近似値が用いられる他の構成例を説明するためのＧ１−ａ（Ｇ１）グラフである。
【図１６】従来の不良の状況を説明する図である。
【符号の説明】
１０１          赤のドット
１０２          青のドット
１０３          緑のドット
１０４          ブラックマトリクス部
１０５          赤の不良ドット
１０６          不良ドットに隣接する青のドット
１０７          不良ドットに隣接する緑のドット
３０１          アドレス検出回路
３０２          演算回路（制御手段）
３０３          スイッチ回路
３０４          表示パネル
３０５          遅延回路
【図１】
0003565328.tif 000009
【図２】
0003565328.tif 000010
【図３】
0003565328.tif 000011
【図４】
0003565328.tif 000012
【図５】
0003565328.tif 000013
【図６】
0003565328.tif 000014
【図７】
0003565328.tif 000015
【図８】
0003565328.tif 000016
【図９】
0003565328.tif 000017
【図１０】
0003565328.tif 000018
【図１１】
0003565328.tif 000019
【図１２】
0003565328.tif 000020
【図１３】
0003565328.tif 000021
【図１４】
0003565328.tif 000022
【図１５】
0003565328.tif 000023
【図１６】
0003565328.tif 000024